(57)【要約】      （修正有）【課題】プレミアム商品等をローコストで、且つ余分な設置スペースを必要としないで陳列できる、既設の陳列什器の支柱に対して取り付ける補助陳列什器を提供する。【解決手段】補助陳列什器１１は、天板１２と底板１３と左右の側板１４と背板１５とからなる筺体１６と、筺体の内部に設ける棚板１７とを備え、背板の両端部には、支柱４に沿わせるための隙間部を有し、筺体の背面側には、支柱の係止孔５に対して係止する係止片が設けられ、棚板の背面側には、隙間部を挿通させて、支柱の係止孔に対して係止する係止部が設けられる。【選択図】図３
0003197298.tif 000002
【実用新案登録請求の範囲】
【請求項１】
既に設置されている陳列什器の一対の支柱に対して取り付ける、又は該支柱間に渡って配設される連結板に対して取り付ける補助陳列什器であって、
該補助陳列什器は、天板と底板と左右の側板と背板とからなる筺体と、該筺体の内部に設ける棚板とを備えており、
前記背板の両端部には、前記支柱に沿わせるための隙間部を有し、
前記筺体の背面側には、前記支柱に形成される係止孔に対して係止する、又は前記連結板に対して係止する係止片が設けられており、
前記棚板の背面側には、前記隙間部を挿通させて、前記支柱に形成される係止孔に対して係止する係止部が設けられていること
を特徴とする補助陳列什器。
【請求項２】
前記筺体の正面側には、施錠可能な扉が設けられていること
を特徴とする請求項１に記載の補助陳列什器。
【考案の詳細な説明】
【技術分野】
【０００１】
本考案は、既に設置されている陳列什器の支柱に対して取り付ける補助陳列什器に関するものである。
【背景技術】
【０００２】
従来、ＤＶＤやゲームソフト等の販売店あるいはレンタルショップ等においては、図７に示すような陳列什器１が設置されており、この陳列什器１の棚板２の上に商品を陳列している。
【０００３】
陳列什器１は、一対の基台３と、基台３に立設する支柱４と、支柱４同士に渡って配設される連結板７と、支柱４に取り付ける棚板２とを有しており、支柱４の正面には長さ方向に沿って連続的に係止孔５が形成されている。この係止孔５に対して、棚板２の背面に設けられる係止片６を差し込んで係止する（図８参照）。
【０００４】
この場合、係止孔５は連続して複数箇所に設けられているので、棚板２の取付高さを自在に調整することが可能である。
【０００５】
なお、特開平９−３０８５５４号公報（特許文献１参照）、特開平１１−１５１１４７号公報（特許文献２参照）、及び特開２０００−３２５１９４号公報（特許文献３参照）には、陳列什器に関する発明が開示されている。
【先行技術文献】
【特許文献】
【０００６】
【特許文献１】特開平９−３０８５５４号公報
【特許文献２】特開平１１−１５１１４７号公報
【特許文献３】特開２０００−３２５１９４号公報
【考案の概要】
【考案が解決しようとする課題】
【０００７】
この従来例の陳列什器１においては、例えば、（ａ）陳列されている商品よりも付加価値の高いプレミアム商品を陳列して差別化を図りたい場合や、（ｂ）陳列されている商品とは別種類の商品を目立たせて陳列したい場合や、（ｃ）陳列されている商品よりも高価な商品を盗難防止を図って陳列したい場合等においては、対応が難しいという問題点を有している。
【０００８】
また、既に設置されている陳列什器１とは別体の陳列什器を設置して、プレミアム商品等を陳列するならば、その分の設置コストが高くなり、設置する余分なスペースが必要になるという不都合が生じる。
【０００９】
従って、従来例における陳列什器１においては、上述の問題点を解消して、プレミアム商品等をローコストで、且つ余分な設置スペースを必要としないで陳列できるよう工夫することに解決しなければならない課題を有している。
【課題を解決するための手段】
【００１０】
前記従来例の課題を解決するための本考案の要旨は、既に設置されている陳列什器の一対の支柱に対して取り付ける、又は該支柱間に渡って配設される連結板に対して取り付ける補助陳列什器であって、該補助陳列什器は、天板と底板と左右の側板と背板とからなる筺体と、該筺体の内部に設ける棚板とを備えており、前記背板の両端部には、前記支柱に沿わせるための隙間部を有し、前記筺体の背面側には、前記支柱に形成される係止孔に対して係止する、又は前記連結板に対して係止する係止片が設けられており、前記棚板の背面側には、前記隙間部を挿通させて、前記支柱に形成される係止孔に対して係止する係止部が設けられていることである。
【００１１】
また、前記筺体の正面側には、施錠可能な扉が設けられている構成を含むものである。
【考案の効果】
【００１２】
本考案に係る補助陳列什器によれば、既に設置されている陳列什器の支柱に対して取り付けることができる。
従って、別体の陳列什器を新たに設置しないので、設置コストを低く抑えられ、設置する余分なスペースが必要ない。
また、補助陳列什器は、既に設置されている陳列什器の支柱に取り付けるので、例えば（Ａ）陳列されている商品よりも付加価値の高いプレミアム商品を陳列して差別化を図ることが可能であり、（Ｂ）陳列されている商品とは別種類の商品を目立たせて陳列できるという種々の優れた効果を奏する。
【００１３】
また、筺体の正面側には、施錠可能な扉が設けられていることによって、（Ｃ）既設の陳列什器に陳列されている商品よりも高価な商品を盗難防止を図って陳列できるという優れた効果を奏する。
【図面の簡単な説明】
【００１４】
【図１】本考案に係る補助陳列什器１１の斜視図である。
【図２】本考案に係る補助陳列什器１１の背面側の斜視図である。
【図３】補助陳列什器１１を陳列什器１の支柱４に取り付けた斜視図である。
【図４】棚板１７の背面側の斜視図である。
【図５】第２の実施例に係る補助陳列什器１１の背面側の斜視図である。
【図６】第３の実施例に係る補助陳列什器１１の斜視図である。
【図７】従来例に係る陳列什器１の斜視図である。
【図８】棚板２の係止片６を支柱４の係止孔５に係止した状態の断面図である。
【考案を実施するための形態】
【００１５】
次に、本考案の実施の形態について図面を参照しながら説明する。まず、図１及び図２において、符号１１は補助陳列什器を示し、この補助陳列什器１１は、筺形状で正面側が開放する筺体１６と、筺体１６の内部に設ける棚板１７とから構成される。
【００１６】
筺体１６は、上部に設けられる天板１２と、下部に設けられる底板１３と、左右の両側部に設けられる側板１４とを有し、背面側には背板１５を備えており、筺形状に形成されている。
【００１７】
棚板１７は、筺体１６の内部で上下方向に所要の間隔を開けて複数枚設けられている。棚板１７の両端部は、側板１４の内側に当接した状態にあり、当該側板１４に取り付けられた棚受け軸（図示せず）の上に載置されている。
【００１８】
背板１５の両端部には、所要間隔の隙間部１８が設けられている。この隙間部１８は、既設の陳列什器１の一対の支柱４に沿う位置に設けられている。この隙間部１８を挿通させて、後述する棚板１７の係止部２１を支柱４の係止孔５に差し込んで係止する仕組みである。
【００１９】
筺体１６の背面側には、図２に示すように、係止片１９が設けられている。係止片１９は、支柱４の係止孔５に差し込んで係止する。
【００２０】
また、補助陳列什器１１の第２の実施例としては、図５に示すように、背面側に係止片２０が設けられている。係止片２０は、支柱４同士に渡って配設される連結板７に対して係止する。
【００２１】
棚板１７の背面側には、図４に示すように、係止部２１が設けられている。係止部２１は、隙間部１８を挿通させて、支柱４の係止孔５に差し込んで係止する。
【００２２】
次に、補助陳列什器１１の第３の実施例について説明する。図６に示すように、筺体１６の正面側には施錠可能な扉２２が設けられている。この扉２２の存在によって、陳列什器１に陳列されている商品よりも高価な商品を盗難防止を図って陳列できる。なお、符号２３は扉２２のヒンジを示し、符号２４は施錠可能な摘み示す。
【００２３】
次に、従来から使用されている既設の陳列什器１を説明する。図７に示すように、陳列什器１は、一対の基台３と、基台３に立設する支柱４と、支柱４同士に渡って配設される連結板７と、支柱４に取り付ける棚板２とを有している。棚板２の背面には係止片６が設けられている（図８参照）。
【００２４】
支柱４の正面には、長さ方向に沿って連続的に形成される係止孔５が設けられており、この係止孔５に対して、棚板２の係止片６を差し込んで係止する仕組みである。
【００２５】
次に、補助陳列什器１１の使用方法について説明する。まず、陳列什器１の棚板２を取り外してから、支柱４の係止孔５に対して、筺体１６の係止片１９を差し込んで係止させる。
【００２６】
あるいは、補助陳列什器１１の第２実施例の場合（図５参照）は、支柱４同士に渡る連結板７に対して、係止片２０を係止させる。
【００２７】
そして、棚板１７の係止部２１を、隙間部１８を挿通させて支柱４の係止孔５に差し込んで係止する。
【００２８】
以上のように構成される補助陳列什器１１は、既に設置されている陳列什器１の支柱４に対して取り付けることができる。従って、別体の陳列什器を新たに設置しないので、設置コストを低く抑えられ、設置する余分なスペースが必要ない。
【００２９】
また、補助陳列什器１１は、既に設置されている陳列什器１の支柱４に取り付けるので、例えば、陳列されている商品よりも付加価値の高いプレミアム商品を陳列して差別化を図ることが可能であり、また、陳列されている商品とは別種類の商品を目立たせて陳列できる。
【符号の説明】
【００３０】
１    陳列什器
２    棚板
３    基台
４    支柱
５    係止孔
６    係止片
７    連結板
１１  補助陳列什器
１２  天板
１３  底板
１４  側板
１５  背板
１６  筺体
１７  棚板
１８  隙間部
１９、２０  係止片
２１  係止部
２２  扉
２３  ヒンジ
２４  摘み
【図１】
0003197298.tif 000003
【図２】
0003197298.tif 000004
【図３】
0003197298.tif 000005
【図４】
0003197298.tif 000006
【図５】
0003197298.tif 000007
【図６】
0003197298.tif 000008
【図７】
0003197298.tif 000009
【図８】
0003197298.tif 000010